(57)【要約】【課題】屋外の落葉、製茶工場内の茶葉、建築現場のオガ屑やカンナ屑等の被収集物を石、土の塊、釘、金具等の異物と分別収集するようにした、コンパクトで安価な使い易い掃除機を提供する。【解決手段】一端３に吸い込み口５を設け、他端７を吸引手段９に分離自在に接続した筒状体１には複数のフィルター１１、１３、１５・・・を吸引方向を横切る方向に着脱自在に内設し、これらのフィルターは当該他端側のフィルターが当該一端側のフィルターよりも目が順次細かくなるようになし、筒状体の底部１７には被収集物１９又は異物の取出し口を備えさせ、該取出し口には開閉自在の蓋を備えさせたことを特徴とする掃除機。【選択図】図１
0003128848.tif 000002
【実用新案登録請求の範囲】
【請求項１】
一端に吸い込み口を設け、他端を吸引手段に分離自在に接続した筒状体には複数のフィルターを吸引方向を横切る方向に着脱自在に内設し、これらのフィルターは当該他端側のフィルターが当該一端側のフィルターよりも目が順次細かくなるようになし、筒状体の底部には被収集物又は異物の取出し口を備えさせ、該取出し口には開閉自在の蓋を備えさせたことを特徴とする掃除機。
【請求項２】
前記筒状体における吸い込み口の近傍にはかき寄せ手段を着脱自在に配設したことを特徴とする請求項１に記載の掃除機。
【請求項３】
前記筒状体の底部における前記吸い込み口の近傍には底部用フィルターを配設したことを特徴とする請求項１又は２に記載の掃除機。
【請求項４】
前記筒状体の底部における前記吸い込み口の近傍には保持用フィルターを立設したことを特徴とする請求項１〜３のいずれかに記載の掃除機。
【請求項５】
前記筒状体の吸い込み口には逆流防止手段を設けたことを特徴とする請求項１〜４のいずれかに記載の掃除機。
【請求項６】
前記筒状体は一端側部分と他端側部分とに分割自在であることを特徴とする請求項１〜５のいずれかに記載の掃除機。
【請求項７】
前記吸い込み口には吸い込み用アタッチメントを着脱自在に取り付けたことを特徴とする請求項１〜６のいずれかに記載の掃除機。
【請求項８】
前記吸引手段による吸引力の調整手段を筒状体の前記他端と該吸引手段との間に備えさせたことを特徴とする請求項１〜７のいずれかに記載の掃除機。
【考案の詳細な説明】
【技術分野】
【０００１】
本考案は、掃除機に関するものであり、特に屋外の落葉、製茶工場内の茶葉、建築現場のオガ屑やカンナ屑等の被収集物を石、土の塊、釘、金具等の異物と分別収集するようにした掃除機に係るものである。
【背景技術】
【０００２】
特開平９−１５１４３０号公報は落葉掃除機を開示している。
【０００３】
この落葉掃除機は、台車には原動機によりベルトを介して駆動される送風機を配設し、該送風機の送風口を斜め下方に開口させ、台車の下部にはブラシとローラーとを備えさせ、該送風機により吹き上げた落葉を風道を介して多数の小穴を有するビニール袋内に収納するようにしたものである。
【特許文献１】特開平９−１５１４３０号公報
【考案の開示】
【考案が解決しようとする課題】
【０００４】
上記従来の落葉掃除機は、屋外の落葉を収集することができるものの、大掛かりな装置であるため、製造コストが嵩むだけでなく、一般家庭の庭等での使用には不向きであり、運搬、保管等の面でも不便である。また、上記従来の落葉掃除機は、必ずしも落葉を石、土等の異物と分別した状態で収集し得るものではない。
【０００５】
本考案は、上記従来の落葉掃除機における上述の如き問題を解決し、屋外の落葉、製茶工場内の茶葉、建築現場のオガ屑やカンナ屑等の被収集物を石、土の塊、釘、金具等の異物と分別収集するようにした、コンパクトで安価な使い易い掃除機を提供しようとしてなされたものである。
【課題を解決するための手段】
【０００６】
上記課題を解決するために、本考案は下記の掃除機を提供する。
【０００７】
（１）一端に吸い込み口を設け、他端を吸引手段に分離自在に接続した筒状体には複数のフィルターを吸引方向を横切る方向に着脱自在に内設し、これらのフィルターは当該他端側のフィルターが当該一端側のフィルターよりも目が順次細かくなるようになし、筒状体の底部には被収集物又は異物の取出し口を備えさせ、該取出し口には開閉自在の蓋を備えさせたことを特徴とする掃除機（請求項１）。
【０００８】
（２）前記筒状体における吸い込み口の近傍にはかき寄せ手段を着脱自在に配設する（請求項２）。
【０００９】
（３）前記筒状体の底部における前記吸い込み口の近傍には底部用フィルターを配設する（請求項３）。
【００１０】
（４）前記筒状体の底部における前記吸い込み口の近傍には保持用フィルターを立設する（請求項４）。
【００１１】
（５）前記筒状体の吸い込み口には逆流防止手段を設ける（請求項５）。
【００１２】
（６）前記筒状体は一端側部分と他端側部分とに分割自在である（請求項６）。
【００１３】
（７）前記吸い込み口には吸い込み用アタッチメントを着脱自在に取り付ける（請求項７）。
【００１４】
（８）前記吸引手段による吸引力の調整手段を筒状体の前記他端と該吸引手段との間に備えさせる（請求項８）。
【考案の効果】
【００１５】
［請求項１の考案］
吸引手段を作動させた状態で吸い込み口を被収集物に接近させたときには、被収集物は吸い込み口より筒状体内に吸い込まれ、フィルターに達する。フィルターは前記他端側（下流側）のフィルターが前記一端側（上流側）のフィルターよりも目が順次細かくなるため、最も大きな被収集物が前記一端に最も近いフィルターの手前の底部に落下し、次に大きな被収集物が次のフィルターの手前の底部に落下し、以後同様に被収集物は大きさに応じて分別される。
【００１６】
従って、この掃除機は、屋外の落葉、製茶工場内の茶葉、建築現場のオガ屑やカンナ屑等の被収集物を大きさに応じて分別収集する作業に適している。
【００１７】
このように分別された被収集物は、底部の取出し口より取り出され、それぞれ再利用され、又は廃棄される。
【００１８】
微細な被収集物は全てのフィルターを通過して吸引手段に達するが、このような微細な被収集物は吸引手段に悪影響を及ぼすことがない。
【００１９】
請求項１の掃除機は、構造が簡単であってコンパクト、かつ、安価に製造することができる。また、この掃除機は極めて使い易いものである。
【００２０】
［請求項２の考案］
筒状体における吸い込み口の近傍に配設されたかき寄せ手段により屋外の落葉、製茶工場内の茶葉、建築現場のオガ屑やカンナ屑等の被収集物をかき寄せることにより、これらの被収集物は容易に吸い込み口より吸い込まれる。
【００２１】
［請求項３の考案］
石、土の塊、釘、金具等の重く、かつ、小さな異物は、筒状体の底部における吸い込み口の近傍に配設された底部用フィルターを通過して落葉、茶葉、オガ屑、カンナ屑等の被収集物と分別される。
【００２２】
［請求項４の考案］
筒状体の底部における前記吸い込み口の近傍に立設された保持用フィルターは、木の皮のマルチング材、小さな木片等を落下させることなく保持する。これらのマルチング材、木片等は後に再利用される。
【００２３】
［請求項５の考案］
筒状体の吸い込み口に設けられた逆流防止手段は、筒状体内に吸い込まれた被収集物が吸い込み口から脱出することを防止する。
【００２４】
［請求項６の考案］
筒状体は一端側部分と他端側部分とに分割自在であるため、筒状体内の被収集物、異物等の取り出し、筒状体内の掃除等の際に好都合である。
【００２５】
［請求項７の考案］
吸い込み口に吸い込み用アタッチメントを取り付けたときには、該吸い込み用アタッチメントに応じて、細かな被収集物を吸い込むことができる。
【００２６】
［請求項８の考案］
吸引手段による吸引力の調整手段を筒状体の前記他端と該吸引手段との間に備えさせたため、掃除機使用者は吸引手段による吸引力を手元で随時容易に調整することができる。
【考案を実施するための最良の形態】
【００２７】
符号１は掃除機の筒状体である。
【００２８】
筒状体１の一端３に吸い込み口５を設け、他端７を吸引手段９に分離自在に接続する。
【００２９】
吸引手段９は、一例として、家庭用の掃除機とする。
【００３０】
筒状体１には複数のフィルター１１、１３、１５・・・を吸引方向を横切る方向に着脱自在に内設する。なお、「吸引方向」とは、筒状体１における一端３から他端７へ向かう方向、即ち、図２〜図４における左から右へ向かう方向をいう。
【００３１】
これらのフィルター１１、１３、１５・・・は、当該他端７側のフィルターが当該一端３側のフィルターよりも目が順次細かくなるようになす。
【００３２】
例えば、フィルター１５はフィルター１３よりも目が細かく、フィルター１３はフィルター１１よりも目が細かい。フィルター１１、１３、１５・・・は、好ましくは、網体とする。
【００３３】
筒状体１の底部１７には被収集物１９又は石、土の塊、釘、金具等の異物２０の取出し口２１を備えさせ、該取出し口２１には開閉自在の蓋２３を備えさせる。
【００３４】
筒状体１における吸い込み口５の近傍にはかき寄せ手段２５を着脱自在に配設する。
【００３５】
かき寄せ手段２５としては、例えば、熊手、ブラシ等が好ましく使用されるが、かき寄せ手段２５はこれらのものに限らない。
【００３６】
筒状体１の底部１７における吸い込み口５の近傍には底部用フィルター２７を配設する。底部用フィルター２７は、好ましくは、網体とする。符号２８に示すものは、異物２０を溜める異物溜めである。図４参照。
【００３７】
筒状体１の底部１７における吸い込み口５の近傍には保持用フィルター２９を立設する。保持用フィルター２９は、好ましくは、網体とする。
【００３８】
保持用フィルター２９は、好ましくは、筒状体１における前記他端７側に傾斜させた状態で立設する。
【００３９】
筒状体１の吸い込み口５には逆流防止手段３１を設ける。
【００４０】
逆流防止手段３１は、一例として、吸い込み口５における内側縁を前記他端７側に延設してなるものとする。
【００４１】
筒状体１は、好ましくは、一端側部分１ａと他端側部分１ｂとに分割自在である。符号３３に示すものは一端側部分１ａと他端側部分１ｂとの分割面である。
【００４２】
筒状体１の吸い込み口５には吸い込み用アタッチメント３５を着脱自在に取り付ける。
【００４３】
吸い込み用アタッチメント３５は、被収集物１９に応じて、種々のものが用いられる。
【００４４】
図８〜図１０は、家庭用の掃除機にしばしば用いられる吸い込み用アタッチメント３５ａ、３５ｂ、３５ｃを示す。なお、筒状体１における吸い込み口５を含む前記一端３側の部分は、好ましくは交換自在とする。図５〜図７参照。
【００４５】
吸引手段９による吸引力の調整手段３７を筒状体１の前記他端７と吸引手段９との間に備えさせる。
【００４６】
図１１〜図１３に示す調整手段３７ａは、筒状体１の前記他端７と吸引手段９との間に円筒管３９を取り付け、該円筒管３９に細径部４１を形成し、該細径部４１には該細径部４１を内外に貫く透孔４３を形成し、該透孔４３に対応する透孔４５を備えた円筒体４７を円筒管３９の細径部４１に回転自在に嵌着してなるものである。
【００４７】
この調整手段３７ａにおいては、図１３に示すように、円筒体４７の透孔４５が細径部４１の透孔４３に連通していないときには、吸引手段９による吸引力は減殺されない。
【００４８】
円筒体４７の透孔４５が細径部４１の透孔４３に連通しているときには、連通の程度により、該透孔４３、４５から空気が外部に漏れるため、吸引手段９による吸引力が減殺される。図１２参照。
【００４９】
図１４、図１５に示す調整手段３７ｂは、筒状体１の前記他端７と吸引手段９との間に筒体４９を取り付け、該筒体４９には該筒体４９を内外に貫く透孔５１を形成し、該筒体４９には該透孔５１を開閉する蓋５３を取り付け、該蓋５３をハンドル５５により開閉するようにしてなるものである。
【００５０】
この調整手段３７ｂにおいては、筒体４９の透孔５１が蓋５３により閉じられているときには、吸引手段９による吸引力は減殺されない。
【００５１】
筒体４９の透孔５１が蓋５３により閉じられていないときには、該透孔５１から空気が外部に漏れるため、吸引手段９による吸引力が減殺される。図１５参照。
【図面の簡単な説明】
【００５２】
【図１】本考案による掃除機の一例を示す一部切欠斜視図である。
【図２】本考案による掃除機の別の一例を示す断面図である。
【図３】本考案による掃除機の更に別の一例を示す断面図である。
【図４】本考案による掃除機の更に別の一例を示す断面図である。
【図５】筒状体における吸い込み口の近傍に配設されたかき寄せ手段の一例を示す斜視図である。
【図６】筒状体における吸い込み口の近傍に配設されたかき寄せ手段の別の一例を示す斜視図である。
【図７】筒状体の一端に設けた吸い込み口を示す斜視図である。
【図８】吸い込み用アタッチメントの一例を示す斜視図である。
【図９】吸い込み用アタッチメントの別の一例を示す斜視図である。
【図１０】吸い込み用アタッチメントの更に別の一例を示す斜視図である。
【図１１】吸引手段による吸引力の調整手段の一例を示す斜視図である。
【図１２】同上調整手段を示す断面図である。
【図１３】同上調整手段を示す別の断面図である。
【図１４】吸引手段による吸引力の調整手段の別の一例を示す斜視図である。
【図１５】同上調整手段を示す断面図である。
【符号の説明】
【００５３】
１  筒状体
１ａ  一端側部分
１ｂ  他端側部分
３  一端
５  吸い込み口
７  他端
９  吸引手段
１１  フィルター
１３  フィルター
１５  フィルター
１７  底部
１９  被収集物
２０  異物
２１  取出し口
２３  蓋
２５  かき寄せ手段
２７  底部用フィルター
２８  異物溜め
２９  保持用フィルター
３１  逆流防止手段
３３  分割面
３５  吸い込み用アタッチメント
３５ａ  吸い込み用アタッチメント
３５ｂ  吸い込み用アタッチメント
３５ｃ  吸い込み用アタッチメント
３７  調整手段
３７ａ  調整手段
３７ｂ  調整手段
３９  円筒管
４１  細径部
４３  透孔
４５  透孔
４７  円筒体
４９  筒体
５１  透孔
５３  蓋
５５  ハンドル
【図１】
0003128848.tif 000003
【図２】
0003128848.tif 000004
【図３】
0003128848.tif 000005
【図４】
0003128848.tif 000006
【図５】
0003128848.tif 000007
【図６】
0003128848.tif 000008
【図７】
0003128848.tif 000009
【図８】
0003128848.tif 000010
【図９】
0003128848.tif 000011
【図１０】
0003128848.tif 000012
【図１１】
0003128848.tif 000013
【図１２】
0003128848.tif 000014
【図１３】
0003128848.tif 000015
【図１４】
0003128848.tif 000016
【図１５】
0003128848.tif 000017